(57)【要約】【課題】  ２つの番組情報を受信可能な機能を有し、１つのデスクランブラを接続可能な出入力部を有する構成の放送受信機において、適切に暗号化された番組情報をデスクランブルし、ユーザにとって使い勝手よい受信装置を提供する。【解決手段】  放送受信機１００は、放送受信部Ａ１０１、デスクランブラ１０２、放送信号処理部Ａ１０３、音声処理部Ａ１０４、スピーカ１０５、映像処理部Ａ１０６、表示部１０７、放送受信部Ｂ１０８、放送信号処理部Ｂ１０９、音声処理部Ｂ１１０、映像処理部Ｂ１１１、放送記録部１１２、を備え、受信再生及び録画の状態と、受信する放送がスクランブル放送であるか否かに応じて、デスクランブラを経由する放送信号処理部と、受信再生に用いる音声処理部及び映像処理部と、録画のために放送記録部１１２にデータを記録を行う放送信号処理部を決定する。【選択図】図１
2009100065.tif 000002
【特許請求の範囲】
【請求項１】
暗号化された信号を含む番組信号を受信する受信装置であって、
前記番組信号を受信する第１の受信手段と、
前記番組信号を受信する第２の受信手段と、
前記第１の受信手段又は前記第２の受信手段で受信した番組信号を外部機器に出力する出力部と、
前記外部機器からの信号を入力する入力部と、
前記番組信号を記録する記録手段と、
前記番組信号を表示する表示手段を備え、
前記第１の受信手段及び前記第２の受信手段が暗号化された番組信号を受信したときに、前記第２の受信手段で受信した番組信号を外部機器に出力し、前記入力部から入力された番組信号を前記記録手段で記録することを特徴とした受信装置。
【請求項２】
請求項１に記載の受信装置であって、
前記第１受信手段で受信した番組信号を処理する第１の信号処理部と、
前記入力手段から入力された番組信号を処理する第２の信号処理部と、を備えることを特徴とする受信装置。
【請求項３】
請求項１に記載の受信装置であって、
前記第１の信号処理部または前記第２の信号処理部からの番組信号を表示する表示手段を備えることを特徴とする受信装置。
【請求項４】
請求項１に記載の受信装置であって、
前記外部機器は前記出力部から出力された信号の暗号をデスクランブルするデスクランブラであることを特徴とする受信装置。
【請求項５】
請求項２に記載の受信装置であって、
前記番組信号を表示する表示手段を備え、
前記第１の受信手段で受信した番組信号と前記第２の受信手段で受信した番組信号が同一の番組に関する信号であるとき、
前記第２の信号処理部からの番組信号を前記記録手段で記録するとともに、前記第２の信号処理部からの番組信号を前記表示手段で表示することを特徴とする受信装置。
【請求項６】
請求項２に記載の受信装置であって、
前記第１の受信手段で受信した番組信号と前記第２の受信手段で受信した番組信号が同一の番組に関する信号であるとき、
前記第１の受信手段または前記第２の受信手段で受信した番組信号の一方を前記出力部から出力し、前記入力部から入力された番組信号を前記第１の信号処理部及び前記第２の信号処理部に出力することを特徴することを特徴とする受信装置。
【請求項７】
暗号化された信号を含む番組信号を受信する受信装置であって、
前記番組信号を受信する受信手段と、
前記受信手段で受信した番組信号を外部機器にする出力部と、
前記外部機器からの信号を入力する入力部と
前記入力手段から入力された番組信号を処理する信号処理部と、
前記信号処理部で処理された番組信号を記録する記録手段と、
前記信号処理部で処理された番組信号を表示する表示手段と、を備えることを特徴とする受信装置。
【請求項８】
暗号化された信号を含む番組信号を受信する受信装置であって、
前記番組信号を受信する受信手段と、
前記受信手段で受信した番組信号を外部機器にする出力部と、
前記外部機器からの信号を入力する入力部と
前記入力手段から入力された番組信号を処理する第１の信号処理部と、
前記入力手段から入力された番組信号を処理する第２の信号処理部と、
前記第１の信号処理部で処理された番組信号を表示する表示手段と、
前記信号処理部で処理された番組信号を記録する記録手段と、
前記信号処理部で処理された番組信号を表示する表示手段と、を備えることを特徴とする受信装置。
【請求項９】
暗号化された信号を含む番組信号を受信する受信方法であって、
前記番組信号を受信する第１の受信ステップと、
前記番組信号を受信する第２の受信ステップと、
前記第１の受信ステップ又は前記第２の受信ステップで受信した番組信号を外部機器に出力する出力ステップと、
前記外部機器からの信号を入力する入力ステップと、
前記番組信号を記録する記録ステップと、
前記番組信号を表示する表示ステップを備え、
前記第１の受信ステップ及び前記第２の受信ステップにて暗号化された番組信号を受信したときに、前記第２の受信ステップで受信した番組信号を外部機器に出力し、前記入力部から入力された番組信号を前記記録ステップで記録することを特徴とした受信方法。
【発明の詳細な説明】
【技術分野】
【０００１】
本発明は、暗号化された信号を含む番組信号受信する受信装置に関するものである。
【背景技術】
【０００２】
欧州のデジタル放送では、Ｃｏｍｍｏｎ  Ｉｎｔｅｒｆａｃｅ（以下、ＣＩ）と呼ばれる外部機器とのインタフェースを放送受信機が備え、ＣＩに放送事業者が提供するＣＩカードを接続し、デジタル放送で受信するＴｒａｎｓｐｏｒｔ  Ｓｔｒｅａｍ（以下、ＴＳ）をＣＩカードに送信することにより、ＣＩカード内部でＴＳのスクランブル解除を行い、スクランブルが解除されたＴＳを再び放送受信機が受信することにより、スクランブル放送の視聴を行う構成となっている。該構成では、デスクランブラに通すことができるＴＳは１つである。
【０００３】
一方、受信した放送信号が暗号化されているか否かを判別し、暗号化されている信号に対してデスクランブラを介して、暗号化されていない信号に対してはデスクランブラを介さずして映像処理を行う技術が特許文献１に開示されている。
【０００４】
【特許文献１】特開２００６−０４１８４８号公報
【発明の開示】
【発明が解決しようとする課題】
【０００５】
しかし、２つのチューナーを搭載し、同時に２つのスクランブル放送を視聴しつつ、録画する場合には、２つのデスクランブラが必要であった。
【０００６】
さらに、特許文献１では、たんに１つのチューナーを備える場合のみを開示しており、２つのチューナーを備えた場合の信号処理については開示していない。
【０００７】
本発明は、上記の課題に鑑みなされたものであり、２つの番組情報を受信可能な機能を有し、１つのデスクランブラを接続可能な出入力部を有する構成の放送受信機において、適切に暗号化された番組情報をデスクランブルし、ユーザにとって使い勝手よい受信装置を提供することである。
【課題を解決するための手段】
【０００８】
上記目的を達成するために、本発明に係る受信装置は、暗号化された信号を含む番組信号を受信する受信装置であって、前記番組信号を受信する第１の受信手段と、前記番組信号を受信する第２の受信手段と、前記第１の受信手段又は前記第２の受信手段で受信した番組信号を外部機器に出力する出力部と、前記外部機器からの信号を入力する入力部と、前記番組信号を記録する記録手段と、前記番組信号を表示する表示手段を備え、前記第１の受信手段及び前記第２の受信手段が暗号化された番組信号を受信したときに、前記第２の受信手段で受信した番組信号を外部機器に出力し、前記入力部から入力された番組信号を前記記録手段で記録することを特徴とする。
【発明の効果】
【０００９】
本発明によれば、２つの番組情報を受信可能な機能を有し、１つのデスクランブラを接続可能な出入力部を有する構成の放送受信機において、適切に暗号化された番組情報をデスクランブルし、ユーザにとって使い勝手よい受信装置を提供することができる。
【発明を実施するための最良の形態】
【００１０】
本発明に係る実施例は、同時に２つの放送の受信再生を行うことが可能な放送受信機に関し、特に、スクランブル放送のスクランブルを解除するデスクランブラを該放送受信機に接続し、放送受信機が受信した放送データをデスクランブラに送信し、デスクランブラでスクランブルが解除された放送データを再び該放送受信機が受信することにより、前記放送データを受信再生可能とし、さらに、該放送データを記録する録画機能を有する放送受信機に関する。
【００１１】
放送受信機は、２つ以上のチューナやビデオデコーダ、オーディオデコーダの搭載により、同時に２つ以上の番組を視聴することや、１つの番組を録画しながら他の番組を視聴することが可能となっている。
【００１２】
一方、放送は、衛星放送やデジタル放送等の放送技術の発達に伴い、多チャンネルの配信が可能となっており、有料で放送されるチャンネルも数多く存在する。該有料放送にはスクランブルがかけられており、放送事業者が提供するデスクランブラをテレビに接続するにより、契約したチャンネルを視聴できるようにする仕組みが一般的である。特に欧州のデジタル放送では、Ｃｏｍｍｏｎ  Ｉｎｔｅｒｆａｃｅ（以下、ＣＩ）と呼ばれる外部機器とのインタフェースを放送受信機が備え、ＣＩに放送事業者が提供するＣＩカードを接続し、デジタル放送で受信するＴｒａｎｓｐｏｒｔ  Ｓｔｒｅａｍ（以下、ＴＳ）をＣＩカードに送信することにより、ＣＩカード内部でＴＳのスクランブル解除を行い、スクランブルが解除されたＴＳを再び放送受信機が受信することにより、スクランブル放送の視聴を行う構成となっている。
【００１３】
前記の通り放送受信機でデスクランブラを使用してスクランブル放送を受信再生する場合には、放送受信機が受信したＴＳを、一度デスクランブラに通してから受信再生する必要があるが、デスクランブラに通すことができるＴＳは１つである。従って、２つのチューナやデコーダを搭載し、同時に２つの放送が視聴したり、１つの番組を録画しながら他の番組を視聴することが可能な放送受信機において、スクランブル放送を同時に２つ視聴したり、スクランブル放送を視聴しながら別のスクランブル放送を録画できるようにする場合には、2つのデスクランブラを接続し、それぞれのデスクランブラに別のＴＳを通してスクランブルを解除する必要が生じる。
【００１４】
しかし、１つの受信機で２つのデスクランブラを利用する際には、ユーザは１つの有料チャンネルの契約ごとに、2つのデスクランブラを入手する必要がある。一般的には１つの契約に１つのデスクランブラを使用するため、ユーザが追加でデスクランブラを入手するためには、一般的な契約形態とはことなる申請を放送事業者に申し出る手間が生じる。また、放送受信機の材料コスト削減の観点からも、２つのチューナやデコーダを搭載しながらも、デスクランブラとの接続機構は１つ搭載し、放送の視聴や録画の状況に応じて効率的に１つのデスクランブラのリソースを利用できるようにすることが望ましい。
【００１５】
このように、放送受信機が２つの放送を同時に受信可能な機能を有し、デスクランブラは１つのみ接続する構成にした場合に、いかにして視聴や録画の状況に応じて、デスクランブラを使ってスクランブルを解除するＴＳの制御を放送受信機内部で効率的に行うかという課題が生じる。
【００１６】
本実施例では、２つの放送を同時に受信可能な機能を有し、デスクランブラは１つのみ接続可能な構成の放送受信機において、スクランブル放送とノンスクランブル放送を２画面表示で同時に視聴する機能と、スクランブル放送とノンスクランブル放送の一方を視聴すると同時にもう一方を録画する機能と、１つのスクランブル放送を視聴すると同時に録画する機能を実現する受信機につき開示する。
【００１７】
以下、実施例によれば、ユーザはある１つのデスクランブラを放送受信機に接続することで、スクランブル放送とノンスクランブル放送を２画面表示で同時に視聴することと、スクランブル放送とノンスクランブル放送の一方を視聴すると同時にもう一方を録画することと、１つのスクランブル放送を視聴すると同時に録画することが可能になる。
【実施例１】
【００１８】
本実施形態の放送受信機１００は、２つの放送を同時に受信可能な受信機であり、図１に示すように、放送受信部Ａ１０１、デスクランブラ１０２、放送信号処理部Ａ１０３、音声処理部Ａ１０４、スピーカ１０５、映像処理部Ａ１０６、表示部１０７、放送受信部Ｂ１０８、放送信号処理部Ｂ１０９、音声処理部Ｂ１１０、映像処理部Ｂ１１１、放送記録部１１２、を備える。
放送受信部Ａ１０１及び放送受信部Ｂ１０８は、所望の放送データをアンテナやケーブルから受信し、受信した信号に基づき、後述するデジタル放送信号処理部１０３で処理が可能なデータを復元する回路である。
【００１９】
デスクランブラ１０２は放送受信機１００の外部の機器であり、所定のインタフェースにより放送受信機１００と接続されており、該インタフェースを介して放送信号を送受信することにより、放送受信機１００はスクランブルが解除された放送信号を得ることができる。
【００２０】
放送信号処理部Ａ１０３及び放送信号処理部Ｂ１０９は、放送受信部Ａ１０１及び放送受信部Ｂ１０８から得られる放送データを入力し、当該データに含まれる音声データと映像データとを分離し、それぞれ、後述する音声処理部Ａ１０４及び音声処理部Ｂ１１０と映像処理部Ａ１０６及び映像処理部Ｂ１１１とで処理可能なデータ形式に変換して出力する。
【００２１】
音声処理部Ａ１０４及び音声処理部Ｂ１１０は、放送信号処理部Ａ１０３及び放送信号処理部Ｂ１０９から供給された音声データをスピーカ１０５に出力する。
【００２２】
スピーカ１０５は、音声処理部Ａ１０４及び音声処理部Ｂ１１０から供給された音声データを音声に変換して放音する。
【００２３】
映像処理部Ａ１０６及び映像処理部Ｂ１１１は、放送信号処理部Ａ１０３及び放送信号処理部Ｂ１０９から供給された映像データを、表示部１０７で処理可能な形態に変換して出力する。
【００２４】
表示部１０７は、例えば、表示パネルとパネル制御回路とパネル制御ドライバとから構成され、映像処理部Ａ１０６及び映像処理部Ｂ１１１から供給されるデータで構成される映像を表示パネルに表示する。
放送記録部１１２は、ハードディスクドライブやフラッシュメモリ等から構成され、放送信号処理部Ｂが出力する放送データを記録する。
【００２５】
また、図１では、後述する放送受信及び録画の状態に応じた、上述した放送受信機１００を構成する各部の接続方法や信号経路を、経路Ａ、経路Ｂ、経路Ｃ、経路Ｄのそれぞれに示している。
【００２６】
図２は、放送受信機１００の放送受信及び録画の状態と、前述した経路Ａ、経路Ｂ、経路Ｃ、経路Ｄの各経路との対応を示している。通常視聴２００は、放送を受信再生する通常視聴の状態であり、通常視聴２００では放送受信機１００の信号経路は経路Ａとなる。裏録画２０１は、ある放送を受信再生しながら、他の放送を録画する状態であり、裏録画２０１では放送受信機１００の信号経路は経路Ｂとなる。視聴録画２０２は、ある放送を受信再生しながら、同じ放送を録画する状態であり、視聴録画２０２では放送受信機１００の信号経路は経路Ｃもしくは経路Ｄとなる。なお、経路Ｃもしくは経路Ｄは、いずれも同じ視聴録画２０２の状態を実現可能な信号経路であり、どちらの信号経路であっても機能的な差異はない。
【００２７】
次に、上記構成の放送受信機１００の動作を図１、図２、及び図３、図４のフローチャートを参照して説明する。
【００２８】
放送受信機１００は、放送を受信再生する機能と、放送を録画する機能を有する。また２つの放送を同時に受信する機能と、ある番組を受信再生しながら、別の番組を録画する機能を有する。
【００２９】
先ず、放送受信機１００が放送を受信再生する動作について図１を参照して説明する。
【００３０】
ユーザが、放送受信機１００に対し、図示しないリモコン等を用いた操作により、放送の受信再生の開始を指示したとする。
【００３１】
前記指示に応答して、放送受信部Ａ１０１は、アンテナ及びケーブルから得られる信号からデスクランブラ１０２で処理可能なデータを復元し、デスクランブラ１０２に送信する。デスクランブラ１０２は前記データのスクランブルを解除し、放送受信機１００に送信する。スクランブルが解除されたデータを受信した放送受信機１００は、放送信号処理部Ａ１０３にて、受信したデータに含まれる映像データや音声データを分離し、各々を所定の映像信号や音声信号に変換して出力する。また、この際に映像信号と音声信号が対応して出力されるように、各々の信号の出力タイミングの同期を取る。
【００３２】
音声処理部Ａ１０４は放送信号処理部Ａ１０３から受けた音声信号をスピーカ１０５の入力に適した信号に変換し出力する。これにより、スピーカ１０５から音声が出力される。
【００３３】
一方、映像処理部Ａ１０６は放送信号処理部Ａ１０３から受けた映像信号を表示部１０７の入力に適した信号に変換し出力する。これにより、表示部１０７から映像が出力される。
また、放送受信機Ｂ１０８、放送信号処理部Ｂ１０９、音声処理部Ｂ１１０、映像処理部Ｂ１１１においても、同様の処理が可能であり、放送受信機１００は同時に２つの放送を受信再生することができる。
さらに、放送信号処理部１０９が放送受信部Ｂから受信したデータを、放送記録部１１２に送出することにより、放送記録部１１２にて前記データを記録し、必要に応じて前記データを放送信号処理部Ｂが読みだすことにより、放送の録画再生が可能である。
【００３４】
以上の一連の動作により、放送受信機１００によりデジタル放送の受信再生がなされる。
【００３５】
次に、放送受信端末１００が通常視聴２００、裏録画２０１、視聴録画２０２、の各機能を実現する際の、信号経路の設定の動作の詳細について図３及び図４のフローチャートを参照しながら説明する。
【００３６】
先ず、ユーザは所定の操作により放送受信機１００の電源を入れ、放送受信機１００に通常視聴２００の開始を指示する（ステップ３００）。このとき、ユーザが視聴しようとする放送はスクランブル放送であると仮定する。
通常視聴２００では、放送受信部１００は信号経路を経路Ａの構成にし、先に述べた仕組みにより受信再生を行う（ステップ３０１）。
【００３７】
次に、ユーザが録画の開始を指示したとする（ステップ３０２）。前記指示により、放送受信機１００は視聴録画２０２の状態となり、信号経路を経路Ｃもしくは経路Ｄの構成にする（ステップ３０３）。経路Ｃおよび経路Ｄでは、放送受信部Ａもしくは放送受信部Ｂのどちらか一方で受信したスクランブル放送をデスクランブラ１０２でスクランブルを解除する構成となる。経路Ｃでは前記スクランブルを解除したデータを放送信号処理部Ｂで受信し、音声処理部Ｂ１１０と映像処理部Ｂ１１１を用いた受信再生処理と、放送記録部１１２での録画を行う構成である。一方、経路Ｄでは、前記スクランブルを解除したデータを、放送信号処理部Ａと放送信号処理部Ｂの両方で受信し、受信再生には音声処理部Ａ１０４と映像処理部Ａ１０６を用い、録画は放送信号処理部Ｂ１０９と放送記録部１１２で行う構成である。経路Ｃと経度Ｄは、いずれもスクランブル放送を受信再生しながら録画することが可能な構成である。
【００３８】
次に、ユーザが録画は継続した状態で、視聴する番組の選局を指示したとする（ステップ３０４）。この時、この指示を受けた放送受信機１００が、視聴する番組よりも録画する番組に優先してデスクランブラ１０２を使用する。放送受信機１００は裏録画２０１の状態となり、前記仕様に基づき経路Ｂを構成する（ステップ３０５）。経路Ｂでは、放送受信部Ｂ１０８で受信した信号をデスクランブラ１０２を経由して、放送記録部１１２に録画する。一方、視聴番組は放送受信部Ａ１０１で受信した信号であり、該信号はデスクランブラを経由せず放送信号処理部Ａ１０３以降の受信再生処理が行われる。
【００３９】
このため、ＣＩカードがデスクランブルできる信号が１つであるような場合であっても、適切に視聴番組よりも記録する番組を優先してデスクランブルでき、ユーザにとって使い勝手が良くなるとともに、効率的に１つのデスクランブルのリソースを利用できる。尚、前記デスクランブルする信号をユーザの設定により、視聴する番組としてもよい。
【００４０】
なお、ステップ３０５に続き、ユーザがさらに選局を行い、録画中の番組と同じ番組を選局した際には、放送受信機１００は経路設定を経路Ｃもしくは経路Ｄに変更する。これにより、録画中のスクランブル放送を視聴することが可能となる。
【００４１】
次に、ユーザが録画の停止を指示したとする（ステップ３０６）。前記指示により、放送受信機１００は経路設定を再び経路Ａの構成に変更し、通常視聴２００に戻る。
【００４２】
放送受信機１００は、ユーザの指示に応じて、通常視聴２００では経路Ａ、視聴録画２０２では経路Ｃもしくは経路Ｄ、裏録画２０１では経路Ｂを構成するという一連の動作を行う。
【００４３】
次に、予め設定した時刻に録画を開始する予約録画をユーザが設定した場合の動作について、図４のフローチャートを参照しながら説明する。
【００４４】
先ず、ユーザは所定の操作により放送受信機１００の電源を入れ、放送受信機１００に通常視聴２００の開始を指示する（ステップ４００）。
通常視聴２００では、放送受信部１００は信号経路を経路Ａの構成にし、先に述べた仕組みにより受信再生を行う（ステップ４０１）。
【００４５】
次にユーザが所定の操作で、スクランブル放送の予約録画を設定したと過程する（ステップ４０２）。
【００４６】
予約録画を設定した時間になり、このときユーザが予約録画を設定した番組とは異なる番組を視聴していたとする（ステップ４０３）。放送受信機１００は裏録画２０１の状態になり、信号経路を経路Ｂの構成にし、先に述べた仕組みにより録画を開始する（ステップ４０４）。経路Ｂでは、放送受信部Ｂ１０８で受信した信号をデスクランブラ１０２を経由して、放送記録部１１２に録画する。
【００４７】
さらに、予約録画が終了する時間になると（ステップ４０５）、放送受信機１００は録画を停止し、再び信号経路を経路Ａの構成にし、通常視聴２００の状態となる。
【００４８】
このように、放送受信機１００は、ユーザがスクランブル放送の予約録画をした場合には、通常視聴２００では経路Ａ、裏録画２０１では経路Ｂを構成するという一連の動作を行い、ユーザがノンスクランブル放送を視聴中の場合には、該視聴と同時に視聴する番組とは別のスクランブル放送を録画することができる。
【００４９】
以上の一連の動作により、ユーザはある１つのデスクランブラを放送受信機に接続することで、スクランブル放送とノンスクランブル放送を２画面表示で同時に視聴することと、スクランブル放送とノンスクランブル放送の一方を視聴すると同時にもう一方を録画することと、１つのスクランブル放送を視聴すると同時に録画することが可能になる。
【００５０】
なお、上述の実施の形態において、放送記録部１１２は、放送信号処理部Ｂ１０９に接続されているが、放送記録部１１２は、放送信号処理部Ａ１０３もしくは、放送信号処理部Ａ１０３と放送信号処理部Ｂ１０９の両方に接続されていても良く、いずれの場合も、スクランブル放送を録画する場合には、録画するデータを放送記録部１１２に出力する放送信号処理部に対して、デスクランブラ１０２から受信したデータを供給する構成となる。
【実施例２】
【００５１】
次に本発明の実施形態２について説明する。本実施形態では、実施形態１の放送受信機１００において、デスクランブラ１０２を接続する経路を切換えない構成で、実施形態１と同等の動作を実現する方法について説明する。
【００５２】
以下、本実施形態を図面に基づいて説明する。また、以下において、先の実施形態と均等なものには同一の符号を付し、その説明は重複を避ける為に割愛する。
【００５３】
図５に示す実施形態２の放送受信機１００は、図１に示す実施形態１と異なり、デスクランブラ１０２の入出力信号が、放送受信部Ａ１０１及び放送信号処理部Ａ１０３に対して固定される構成となっており、放送受信部Ｂ１０８及び放送信号処理部Ｂ１０９は、デスクランブラ１０２との信号の送受信を行わない。
【００５４】
また、放送記録部１１２は放送信号処理部Ａ１０３に接続されており、放送番組を録画する際には、放送信号処理部Ａ１０3が出力するデータが記録される。
【００５５】
以下、図６のフローチャートを参照して本実施形態の動作を説明する。本実施形態では、放送受信機１００は、デスクランブラ１０２を接続する経路を切換えない構成で、実施形態１と同等の動作を実現するものである。
【００５６】
先ず、ユーザは所定の操作により放送受信機１００の電源を入れ、放送受信機１００に通常視聴２００の開始を指示する（ステップ６００）。このとき、ユーザが視聴しようとする放送はスクランブル放送であると仮定する。
通常視聴２００では、放送受信部１００は信号経路を経路Ａの構成にし、先に述べた仕組みにより受信再生を行う（ステップ６０１）。
【００５７】
次に、ユーザが録画の開始を指示したとする（ステップ６０２）。前記指示により、放送受信機１００は視聴録画２０２の状態となるが、信号経路は経路Ａの構成のままであり、放送信号処理部Ａ１０３が放送記録部１１２への録画を開始する（ステップ６０３）。
【００５８】
次に、ユーザが録画は継続した状態で、視聴する番組の選局を指示したとする（ステップ６０４）。この時、この指示を受けた放送受信機１００が、前提として、視聴する番組よりも録画する番組に優先してデスクランブラ１０２を使用する仕様であったとする。放送受信機１００は裏録画２０１の状態となり、前記仕様に基づき経路Ｂを構成する（ステップ６０５）。また、前記選局に伴い、受信再生によりスピーカ１０５及び表示部１０７に出力される信号は、音声処理部Ｂ１１０及び映像信号処理部Ｂ１１１が出力する信号に切換る。経路Ｂでは、放送受信部Ｂ１０８で受信した信号はデスクランブラを経由せず放送信号処理部Ｂ１０９以降の受信再生処理が行われる。従って、該信号はスクランブルが解除されないため、視聴番組としてはスクランブル放送を受信再生することはできないが、ノンスクランブル放送を受信再生することができる。
【００５９】
なお、ステップ６０５に続き、ユーザがさらに選局を行い、録画中の番組と同じ番組を選局した際には、放送受信機１００は経路設定を経路Ａに変更する。これにより、録画中のスクランブル放送を視聴することが可能となる。
次に、ユーザが録画の停止を指示したとする（ステップ６０６）。前記指示により、放送受信機１００は経路設定を再び経路Ａの構成に変更し、通常視聴２００に戻る。
【００６０】
放送受信機１００は、ユーザの指示に応じて、通常視聴２００及び視聴録画２０２では経路Ａ、裏録画２０１では経路Ｂを構成するという一連の動作を行う。
【００６１】
これにより、放送受信機１００は、デスクランブラ１０２を接続する経路を切換えない構成においても、実施形態１と同等の動作を実現することができる。
【図面の簡単な説明】
【００６２】
【図１】実施形態１の放送受信機の構成を示すブロック図である。
【図２】実施形態１の放送受信機の状態と経路設定の関連を示すブロック図である。
【図３】実施形態１の放送受信機の動作を説明する流れ図である。
【図４】実施形態１の放送受信機の動作を説明する流れ図である。
【図５】実施形態２の放送受信機の構成を示すブロック図である。
【図６】実施形態２の放送受信機の動作を説明する流れ図である。
【符号の説明】
【００６３】
１００・・・放送受信機、
１０１・・・放送受信部Ａ、
１０２・・・デスクランブラ、
１０３・・・放送信号処理部Ａ、
１０４・・・音声処理部Ａ、
１０５・・・スピーカ、
１０６・・・映像処理部Ａ、
１０７・・・表示部、
１０８・・・放送受信部Ｂ、
１０９・・・放送信号処理部Ｂ、
１１０・・・音声処理部Ｂ、
１１１・・・映像処理部Ｂ、
１１２・・・放送記録部、
２００・・・通常視聴、
２０１・・・裏録画、
２０２・・・視聴録画、
【図１】
2009100065.tif 000003
【図２】
2009100065.tif 000004
【図３】
2009100065.tif 000005
【図４】
2009100065.tif 000006
【図５】
2009100065.tif 000007
【図６】
2009100065.tif 000008